(57)【要約】【課題】視覚的に強く魅了させ得る鏡開きを実現させる鏡開き装置を提供する。【解決手段】鏡開き装置３０は、上面に開口部を有する略円筒形状の樽枠部材３１と、樽枠部材３１の開口部を覆うように設けられる鏡蓋１と、該鏡蓋１に回転力を与えて回転させる弾性部材２１と、樽枠部材３１の内部に設けられ、鏡蓋１の下方側から外力を加える押し上げ装置４０と、樽枠部材３１の内部に設けられ、開放された開口部から紙片を上方に放出する放出装置５０とを備える。【選択図】図１
2012090745.tif 000002
【特許請求の範囲】
【請求項１】
種々の行事に用いられる鏡開き装置であって、
上面に開口部を有する筒形状の樽枠部材と、
前記樽枠部材の開口部を覆うように設けられ、外力が加えられることにより前記開口部を開放する鏡蓋と、
前記樽枠部材の内部に設けられ、前記開放された開口部から複数の紙片を上方に放出する放出装置とを備えることを特徴とする鏡開き装置。
【請求項２】
前記樽枠部材の内部に設けられ、前記鏡蓋の下方側から前記外力を加える押し上げ装置を備える請求項１に記載の鏡開き装置。
【請求項３】
前記鏡蓋は、
各々が板形状を有し、平面方向における同一方向に隣接して並べられることで平板形状を形成する複数の板部材と、
前記複数の板部材のうちの内側の各板部材と、前記内側の各板部材に隣接する外側の各板部材とを連結させる連結部材と、
内側の各板部材に対して、隣接する外側の各板部材に向けて平面方向に引っ張る態様で力を与えるとともに、前記外力が加えられたときには前記連結部材を回転軸とした回転力を与えて回転させる弾性部材とを備える請求項１または２に記載の鏡開き装置。
【請求項４】
前記放出装置は、
前記複数の紙片を保持するホルダと、
前記ホルダに保持される複数の紙片と当設するように設けられ、回転することにより当設する前記複数の紙片を順次放出するローラとを備える請求項１から３のいずれかに記載の鏡開き装置。
【請求項５】
前記放出装置および前記押し上げ装置は、リモートコントローラにより遠隔的に操作される請求項１から４のいずれかに記載の鏡開き装置。
【請求項６】
前記鏡蓋を叩く木槌と、
所定の長さを有し、一方端が前記木槌に接続され、他方端が前記鏡蓋の所定の位置に接続される紐部材とを備え、
前記木槌を前記鏡蓋から所定の距離だけ離すことにより、前記鏡蓋に前記外力を加える請求項１に記載の鏡開き装置。
【発明の詳細な説明】
【技術分野】
【０００１】
この発明は、祝宴や興行の打ち上げなどといった種々の行事に用いられる鏡開き装置に関する。
【背景技術】
【０００２】
近年では、正月のみならず、祝宴、祝賀会、興行の始めや打ち上げ、出初め式などの伝統的行事や社会的行事などにおいても、鏡開きという儀式が行われる。この鏡開きは、酒樽の上部に設けられた鏡蓋を木槌で叩き割ることによって、その行事の雰囲気を一気に盛大なものへと誘う。
【０００３】
そのような鏡開きを行うための鏡開き用酒樽に関する内容が、たとえば、下記特許文献１に開示されている。特許文献１には、趣向的な小祝宴などにおいての演出効果を高めるための鏡開き用酒樽について開示されており、その鏡開き用酒樽には、お酒を収容する酒用容器を有する樽状本体部と、樽状本体部の上部に設けられ、複数の扇形状を有する分割蓋体を磁気的連結手段により連結して円盤形状に形成された鏡蓋とが備えられている。
【０００４】
上記のような場合において、特許文献１の鏡開き用酒樽は、磁気的連結手段の連結する力を開放するように木槌で鏡蓋を叩くことにより、複数の分割蓋体の連結が解けて鏡蓋は外れ、鏡蓋が叩き割れたように見える。
【先行技術文献】
【特許文献】
【０００５】
【特許文献１】特開２００５−１４９８８号公報
【発明の概要】
【発明が解決しようとする課題】
【０００６】
しかしながら、鏡蓋は磁気的連結手段により連結されているだけであり、分割されやすくなっているものの、木槌で鏡蓋を叩いたときの豪快さやインパクトに欠けるものがあった。
【０００７】
この発明の目的は、上記したような問題点に鑑みてなされたものであり、視覚的に強く魅了させ得る鏡開きを実現させる鏡開き装置を提供することを目的とする。
【課題を解決するための手段】
【０００８】
本発明は、上記目的を達成するために、種々の行事に用いられる鏡開き装置であって、上面に開口部を有する筒形状の樽枠部材と、前記樽枠部材の開口部を覆うように設けられ、外力が加えられることにより前記開口部を開放する鏡蓋と、前記樽枠部材の内部に設けられ、前記開放された開口部から複数の紙片を上方に放出する放出装置とを備えることを特徴とする。これによれば、鏡蓋を開放して、樽枠部材の開口部から複数の紙片を放出することにより、放出された複数の紙片が宙を舞い、通常の鏡開きとは異なる演出を実現することができる。
【０００９】
また、前記樽枠部材の内部に設けられ、前記鏡蓋の下方側から前記外力を加える押し上げ装置を備えるが好ましい。これによれば、簡易な構成の機械的な力をきっかけに装置の開口部を開放することができる。
【００１０】
また、前記鏡蓋は、各々が板形状を有し、平面方向における同一方向に隣接して並べられることで平板形状を形成する複数の板部材と、前記複数の板部材のうちの内側の各板部材と、前記内側の各板部材に隣接する外側の各板部材とを連結させる連結部材と、内側の各板部材に対して、隣接する外側の各板部材に向けて平面方向に引っ張る態様で力を与えるとともに、前記外力が加えられたときには前記連結部材を回転軸とした回転力を与えて回転させる弾性部材とを備えるのが好ましい。これによれば、弾性部材の作用により簡易な構成にして、装置の開口部を勢いよく開放することができる。
【００１１】
また、前記放出装置は、前記複数の紙片を保持するホルダと、前記ホルダに保持される複数の紙片と当設するように設けられ、回転することにより当設する前記複数の紙片を順次放出するローラとを備えるのが好ましい。これによれば、簡易な構成にして、紙片を勢いよく放出することができる。
【００１２】
また、放出装置および押し上げ装置は、リモートコントローラにより遠隔的に操作されるのが好ましい。これによれば操作者がリモートコントローラを操作することにより、紙片の放出タイミングや鏡蓋の開放タイミングにおいて正確に各処理を行うことができる。
【００１３】
また、前記鏡蓋を叩く木槌と、所定の長さを有し、一方端が前記木槌に接続され、他方端が前記鏡蓋の所定の位置に接続される紐部材とを備え、前記木槌を前記鏡蓋から所定の距離だけ離すことにより、前記鏡蓋に前記外力を加えるのが好ましい。これによれば、非常に簡易な構成にして、人的な力をきっかけに装置の開口部を開放することができる。
【発明の効果】
【００１４】
本発明によれば、鏡蓋を開放して、樽枠部材の開口部から複数の紙片を放出することにより、放出された複数の紙片が宙を舞い、通常の鏡開きとは異なる演出を実現するため、行事に参加している人たちを、視覚的に強く魅了させ得る鏡開きを実現させる鏡開き装置を提供することができる。
【図面の簡単な説明】
【００１５】
【図１】この実施形態における鏡開き装置の概略斜視図である。
【図２】鏡開き装置の概略平面図である。
【図３】鏡蓋の概略側面図である。
【図４】内側板部材を回転させる原理を段階的に示す概略図である。
【図５】鏡開き装置の内部の概略平面図である。
【図６】押し上げ装置の概略側面図である。
【図７】放出装置の概略側面図である。
【図８】押し上げ装置、放出装置およびリモコンの電気的構成を示すブロック図である。
【図９】リモコンの概略正面図である。
【図１０】鏡開き装置の動作を段階的に示す概略図である。
【図１１】鏡蓋の他の例を示す概略平面図である。
【図１２】鏡蓋のさらに他の例を示す概略平面図である。
【図１３】鏡開き装置の他の例の要部を示す概略側面図である。
【発明を実施するための形態】
【００１６】
以下、この発明の一実施形態について図面を参照して説明する。
【００１７】
鏡開き装置は、図１および図５に示すように、上面に開口部を有する略円筒形状の樽枠部材３１と、樽枠部材３１の開口部を覆うように設けられる鏡蓋１と、樽枠部材３１の内部に設けられ、鏡蓋１の下方側から外力を加える押し上げ装置４０と、樽枠部材３１の内部に設けられ、開放された開口部から紙片を上方に放出する放出装置５０とを備える。
【００１８】
樽枠部材３１は、図１に示すように、上面を開口させる開口部を有し、高さ方向に延在し、高さ方向の中間部近傍においてくびれを有する略円筒形状の側面部３１ａおよび底面部３１ｂを備えた有底筒状に形成されている。開口部には、鏡蓋１を所定位置に載置させる縁部材３１ｃが設けられている。また、図示しないが、側面部３１ａの外周には種々の装飾が施されている。たとえば、樽枠部材３１の外周には、菰（むしろ）が巻きつけられていたり、樽枠部材３１の側面部３１ａｑの表面には、登録商標された酒名、会社名、模様などが表記されたりしている。
【００１９】
鏡蓋１について、図１〜図４を参照しつつ具体的に説明する。なお、図１および図２などにおいて一点鎖線で示される線分Ｔは、内側板部材１ｂと内側板部材１ｃとの間における境界に沿って鏡開き装置を水平方向に２分する中央線を示し、中央線Ｔよりも外側板部材１ａおよび内側板部材１ｂ側を「左」側とし、中央線Ｔよりも外側板部材１ｄおよび内側板部材１ｃ側を「右」側とする。鏡蓋１は、中央線Ｔを境に左右対称の構成を有する。従って、以下ではこのことに基づいて、適宜説明を省略する。
【００２０】
この鏡蓋１は、図１および図２に示すように、平面方向における同一方向に隣接して並べられることで円盤形状を形成する外側板部材１ａ、内側板部材１ｂ、内側板部材１ｃ、外側板部材１ｄと、外側板部材１ａおよび外側板部材１ａに隣接する内側板部材１ｂを連結させる蝶番２ａ〜２ｃ、また、外側板部材１ｄおよび外側板部材１ｄに隣接する内側板部材１ｃを連結させる蝶番２ｄ〜２ｆとを備え、上方側にいわゆる観音開きするように、内側板部材１ｂ，１ｃが回動可能に構成されている。
【００２１】
また、外側板部材１ａに設けられる固定部材３ａ，３ｂおよび外側板部材１ｄに設けられる固定部材３ｃ，３ｄと、固定部材３ａ〜３ｄの各々に固定される引きばね部材４ａ〜４ｄと、引きばね部材４ａと引きばね部材４ｂとを所定の経路で接続する弾性部材６ａ、および、引きばね部材４ｃと引きばね部材４ｄとを所定の経路で接続する弾性部材６ｂとを備える。
【００２２】
また、外側板部材１ａ、内側板部材１ｂ、内側板部材１ｃ、外側板部材１ｄの各々は、所定の厚みの板形状を有し、図２に示すように、平面方向において幅Ｌ１を有する。また、外側板部材１ａ、内側板部材１ｂ、内側板部材１ｃ、外側板部材１ｄは、樽枠部材３１の縁部材３１ｃにより、円盤形状を形成した状態に載置される。外側板部材１ａ，１ｄについては、樽枠部材３１の縁部材３１ｃに固定されているため、外力を加えられても載置された状態を維持する。
【００２３】
内側板部材１ｂは、外側板部材１ａと隣接しており、上記したように、外側板部材１ａと隣接する部分の上方側において蝶番２ａ〜２ｃにより連結されている。従って、蝶番２ａ〜２ｃを回転軸として、内側板部材１ｂは回動可能に構成されている。また、図２および図３に示すように、内側板部材１ｂは、下面側にストッパ部材５ａを有する。ストッパ部材５ａは、紐状部材を引っかけて保持できるように構成されている。また、内側板部材１ｂと隣接する側の内側板部材１ｃにおける端面７ａは、端面７ａの上端側が内側板部材１ｂの上面と鋭角をなすように形成されている。こうすることにより、内側板部材１ｂが回動する際に、隣接する内側板部材１ｃと接触しない。
【００２４】
なお、内側板部材１ｃは、内側板部材１ｂと中央線Ｔについて左右対称であるだけであって、同様の構成を有するため、説明は省略する。なお、内側板部材１ｂの有する部材と対応する部材について、ストッパ部材５ｂ、端面７ｂというように対応させて符号を付す。
【００２５】
また、固定部材３ａ，３ｂは、図２に示すように、外側板部材１ａの円盤形状の弧を形成する部分において、弧を略３等分にする２箇所に設けられる。固定部材３ａ，３ｂは、ある程度離れた位置から目視されても視認できない程度に透明性を有するのが好ましい。また、固定部材３ａ，３ｂは、外側板部材１ａの上面あるいは側端面に設けられる。
【００２６】
また、引きばね部材４ａ，４ｂの各々は、所定の付勢力を有し、固定部材３ａ，３ｂの各々に接続されている。また、引きばね部材４ａ，４ｂも同様、視認され得ない程度に透明性を有するのが好ましい。
【００２７】
弾性部材６ａは、内側の各板部材１ｂ、１ｃに対して、隣接する外側の各板部材１ａ、１ｄに向けて平面方向に引っ張る態様で力を与えるとともに、上方の外力が加えられたときには蝶番２ａ〜２ｃを回転軸とした回転力を与えて回転させる状態で設けられる。
【００２８】
具体的には、弾性部材６ａは、図２および図３に示すように、引きばね部材４ａの固定部材３ａ側とは反対側に連結され、外側板部材１ａと隣接する内側板部材１ｂの表面を通過し、内側板部材１ｂにおける中央線Ｔ側の端面７ａを経由して裏面に折り返し、ストッパ部材５ａに引っ掛けられ、再び内側板部材１ｂの中央線Ｔ側の端面７ａを折り返して内側板部材１ｂの表面を通過し、引きばね部材４ｂの固定部材３ｂ側とは反対側に連結される。
【００２９】
ここで、弾性部材６の作用について詳細に説明すると、図４（Ａ）に示すように、弾性部材６ａは自らの有する弾性力により、固定部材３ｂと連結された引きばね部材４ｂに接続されている位置Ｐ２において力Ｓ２を、内側板部材１ｂの端部の位置Ｐ１（中央線Ｔ側の端面上端部）において力Ｓ１を生じさせる。この図４（Ａ）の状態において、弾性部材６ａ上に生じる力Ｓ１と力Ｓ２とは、外側板部材１ａおよび内側板部材１ｂの形成する平面と略同一平面にあることより、弾性部材６ａの弾性力は、つり合った状態（平衡状態）にある。従って、外側板部材１ａおよび内側板部材１ｂは、図１〜図３および図４（Ａ）に示されるような状態で静止する。
【００３０】
上記したような平衡状態にある場合において、内側板部材１ｂの位置Ｐ１近傍に、図４（Ｂ）の下方から上方に向かって外力Ｆ０が加えられることにより、位置Ｐ１における力Ｓ１は蝶番２ｃ（位置Ｐ３）を中心とした円Ｃ２の接線方向に分解される。ここにおいて接線方向に分解された力を力Ｆ１とすると、この力Ｆ１が蝶番２ｃ（位置Ｐ３）を回転軸とした内側板部材１ｂにおいて回転するための力（すなわち、回転力）となり、上方（図４（Ｂ）における反時計方向）に向かって内側板部材１ｂが回動を始める。
【００３１】
また、回動を始めた内側板部材１ｂは、図４（Ｃ）に示すように、さらに力Ｓ１の接線方向の分解成分の力Ｆ１によって回転する力が加えられ、勢いよく回動し、図４（Ｄ）に示すように、結果的に外側板部材１ａと内側板部材１ｂとが対面するように衝突する。このとき、外側板部材１ａと内側板部材１ｂとの衝突の際に、拍子木のたたく音のような高い衝撃音が発せられる。
【００３２】
而して、平面方向に弾性力を保持していた弾性部材６ａにより、内側板部材１ｂに対して上方に所定の外力Ｆ０が加えられると、内側板部材１ｂに所定の力（ここにおいては、回転する力）が弾性部材６ａから与えられ、蝶番２ａ〜２ｃを回転軸として内側部材１ｂは回動する。
【００３３】
なお、鏡蓋１の中央線Ｔより右側は、上記で説明した中央線Ｔより左側の構成と同様の構成を有するため、同様に、平面方向に弾性力を保持していた弾性部材６ｂにより、上方に所定の外力が加えられると、内側板部材１ｃに所定の力が弾性部材６ｂから与えられ、蝶番２ｄ〜２ｆを回転軸として内側部材１ｃは回動する。
【００３４】
このように弾性部材６の作用により簡易な構成にして、装置の開口部を勢いよく開放することができる。
【００３５】
樽枠部材３１の内部には、図５及び図６に示すように、押し上げ装置４０および放出装置５０が配置されている。
【００３６】
押し上げ装置４０は、押し上げ装置用制御装置４１と、押し上げ装置用駆動部４２と、押し上げ部材４３とを備える。
【００３７】
押し上げ装置用制御装置４１は、押し上げ装置４０の有する各構成（押し上げ装置用駆動部４２を含む）の動作を制御する制御部４１ａと、後述するリモートコントローラ（以下「リモコン」という）７０から信号を受信し、また、受信した信号に応じて押し上げ装置４０の有する各構成に動作させるための信号を送信する送受信部４１ｂとを備える（図８参照）。
【００３８】
押し上げ装置用駆動部４２は、押し上げ装置用制御装置４１から駆動する旨の信号を受信して駆動する駆動モータ４２ａと、駆動モータ４２ａからの駆動力を伝達する複数のギアを収容したギアボックス４２ｂと、ギアボックス４２ｂを介して伝達される駆動力により回動するリフト部材４２ｃとを備える。すなわち、この押し上げ装置用駆動部４２は、押し上げ装置用制御装置４１が送信した駆動する旨の信号に基づいて駆動モータ４２ａが駆動し、駆動モータ４２ａの駆動により、ギアボックス４２ｂを介して、リフト部材４２ｃを上方（図６においては反時計方向）に回転させる。
【００３９】
押し上げ部材４３は、図６に示すように、鏡蓋１の内側板部材１ｂ，１ｃにおける両者の下方に位置する矩形状の押し上げ部４３ａと、押し上げ部４３ａから下方に延在する縦棒部４３ｃと、縦棒部４３ｃの下端に位置し、リフト部材４２ｃと当設する下端部４３ｂとを備える。押し上げ部材４３は、透明なプラスチックで形成されている。また、縦棒部４３ｃの周囲には、左右方向への移動を規制する留め具４４が複数設けられている。留め具４４は、たとえば、Ｕ字形状の金属部材であり、縦棒部４３ｃの周囲をゆとりをもって囲み、樽枠部材３１の内壁面に固定される。この留め具４４により、押し上げ部材４３における上下方向への移動が誘導される。すなわち、押し上げ部材４３は、左右方向の動きは規制され、上下方向にのみ移動が自由である。
【００４０】
上記したように、押し上げ装置４０においては、押し上げ装置用制御装置４１から送られる駆動する旨の信号に基づいて駆動モータ４２ａが駆動することにより、ギアボックス４２ｂを介してリフト部材４２ｃが上方（図６中においては矢印Ｚ１の示す方向）に向かって回転する。リフト部材４２ｃの回転により、押し上げ部材４３の下端部４３ｂが上方に持ち上げられて、図６において矢印Ｚ２の示す方向に押し上げ部材４３が上昇する。その結果、押し上げられた押し上げ部材４３の押し上げ部４３ａが、上方に位置する鏡蓋１の内側板部材１ｂ，１ｃの両者を下方から押し上げる。この押し上げ部材４３による押し上げの力は、前述した鏡蓋１の内側板部材１ｂ，１ｃに加えられる所定の外力となり、図６中の矢印Ｚ３およびＺ４に示すように、内側板部材１ｂ，１ｃは観音開きして、鏡蓋１が開かれる。すなわち、機械的な力をきっかけに樽枠部材３１開口部を開放することができる。
【００４１】
なお、上記した押し上げ装置４０は、押し上げ部４３ａが、鏡蓋１の内側板部材１ｂおよび内側板部材１ｃの両者を押し上げる位置に設けられる必要がある。すなわち、押し上げ部４３ａの上方には、少なくとも内側板部材１ｂおよび内側板部材１ｃの両者がともに配置される位置となるように、押し上げ装置４０が配置される。なお、適宜押し上げ部４３ａの大きさを変更して対応するようにしてもよい。
【００４２】
放出装置５０は、図７に示すように、放出装置用制御装置５１と、放出装置用制御装置５１と各々導線５１ｃを介して電気的に接続され、放出装置用制御装置５１からの信号に応じて紙片Ｐを上方に放出する第１放出部５２および第２放出部５３とを備える。また、放出装置用制御装置５１、第１放出部５２、および、第２放出部５３は、同一の基部５４上に固定されている。
【００４３】
放出装置用制御装置５１は、放出装置５０の有する各構成（駆動モータ５２４および駆動モータ５３４を含む）の動作を制御する制御部５１ａと、後述するリモコン７０から信号を受信し、また、受信した信号に応じて放出装置５０の有する各構成に動作させるための信号を送信する送受信部５１ｂとを備える（図８参照）。
【００４４】
第１放出部５２は、第１放出部５２に電力を供給する電源部５２５と、紙片Ｐを保持するホルダ５２１と、基部５４に固定される板ばね５２２と、板ばね５２２の上部に設けられ、放出装置用制御装置５１から送信される駆動する旨の信号に基づいて駆動する駆動モータ５２４と、ホルダ５２１に保持される紙片Ｐと当設するように設けられ、駆動モータ５２４から突出する駆動軸を回転軸として回転するピックアップローラ５２３とを備える。
【００４５】
ホルダ５２１は、所定のサイズを有する紙片Ｐを保持する。この実施形態においては、紙幣サイズの紙片を保持できるものとする。また、ホルダ５２１は、放出したい紙片Ｐの紙片サイズに合わせて、適宜取り替え可能である。ホルダ５２１においてピックアップローラ５２３側に位置するホルダの前面部は、ピックアップローラ５２３が紙片Ｐと当設することを妨げないような高さで形成されている。ホルダの前面部は、たとえば、図７に示すように、紙片Ｐの高さの略半分の高さまで延在している。
【００４６】
駆動モータ５２４は、放出装置用制御装置５１が受信したリモコン７０からの駆動する旨の信号に基づいて駆動し、駆動モータ５２４から突出する駆動軸を介して駆動力を伝達する。すなわち、駆動モータ５２４は、駆動軸を介してピックアップローラ５２３を図７において時計方向に回転させる。また、板ばね５２２に設けられる駆動モータ５２４は、板ばね５２２の有する付勢力により図７中の左側に力を受けている。
【００４７】
ピックアップローラ５２３は、表面に弾性部材が被膜されているため、表面において摩擦力を有する。このことにより、ピックアップローラ５２３は、表面の摩擦力により当設する紙片Ｐと滑らないように当設している。また、駆動モータ５２４が基部５４に固定される板ばね５２２から図７の左側方向に力を受けているため、駆動モータ５２４の駆動軸を回転軸とするピックアップローラ５２３は、板ばね５２２の付勢力の影響を受けて、ホルダ５２１に保持される紙片Ｐと適度な強度で当設される。このことより、ピックアップローラ５２３は、当設する紙片Ｐを順次引っかけ上げるように上方に放出することが可能となる。
【００４８】
上記したように、第１放出部５２においては、放出装置用制御装置５１からの駆動する旨の信号に基づいて駆動モータ５２４が駆動し、駆動モータ５２４の駆動によりピックアップローラ５２３が回転して、ピックアップローラ５２３の回転によりピックアップローラ５２３と当設する紙片Ｐが引っかけられて順次上方（図７における時計方向）に放出される。
【００４９】
なお、第２放出部５３は、上記した第１放出部５２と同様の構成を有し、放出装置用制御装置５１を隔てて対称的に構成されているものであるため、ここでは詳細な説明を省略する。なお、第１放出部５２の有する部材と対応する部材について、電源部５３５と、保持するホルダ５３１と、板ばね５３２と、駆動モータ５３４と、ピックアップローラ５３３というように対応させて符号を付す。
【００５０】
なお、放出装置用制御装置５１は、リモコン７０から２種類の信号を受信する。一方は、第１放出部５２を駆動するための信号であり、他方は、第２放出部５３を駆動するための信号である。従って、リモコン７０から送信された信号を放出装置用制御装置５１が受信し、受信した信号が第１放出部５２または第２放出部５３のいずれの信号かを区別して受信し、対応する信号を第１放出部５２または第２放出部５３のいずれに送信して駆動される。なお、放出装置用制御装置５１は、複数の信号を同時に受信することも可能である。
【００５１】
図８は、押し上げ装置４０、放出装置５０、および、後述のリモコン７０の電気的構成を示すブロック図である。図８中の一点鎖線は、送受信される信号の経路を示し、一点鎖線の矢印の向いている方向は信号が送信される方向を示している。
【００５２】
リモコン７０は、リモコン７０が備える各構成を制御するリモコン制御部７１と、操作者からの要求を受け付ける操作部７３と、操作部７３で受け付けた要求を押し上げ装置４０および放出装置５０に送信するリモコン送信部７２とを備える。
【００５３】
このリモコン７０は、図９に示すように、ボタン７３ａ、ボタン７３ｂ、およびボタン７３ｃの３つのボタンによる操作部７３を有する。このため操作者によりボタン７３ａが押下されると押し上げ装置４０を駆動させる旨の信号（以下、「信号Ｄ１」という）が押し上げ装置４０の送受信部４１ｂに送信され、ボタン７３ｂが押下されると第１放出部５２を駆動させる旨の信号（以下、「信号Ｄ２」という）が放出装置用制御装置５１の送受信部５１ｂに送信され、ボタン７３ｃが押下されると第２放出部５３を駆動させる旨の信号（以下、「信号Ｄ３」という）が放出装置用制御装置５１の送受信部５１ｂに送信される。このリモコン７０より送信された信号Ｄ１、信号Ｄ２、信号Ｄ３を受信した押し上げ装置４０および放出装置５０は、受信した各信号に基づいて、各の有する駆動モータ４２ａ、駆動モータ５２４、および、駆動モータ５２３を駆動させる。
【００５４】
次に、鏡開き装置の動作について図１０を参照しつつ説明する。
【００５５】
まず、鏡開き装置は、図１０（Ａ）に示すように、鏡蓋１が開いていない状態にある（図１０（Ａ）参照）。
【００５６】
ここで、操作者がリモコン７０のボタン７３ａを押下する。すると、リモコン７０から押し上げ装置４０を駆動させる旨の信号Ｄ１が押し上げ装置用制御装置４１の送受信部４１ｂに送信される。信号Ｄ１を受信した押し上げ装置用制御装置４１は、信号Ｄ１に基づいて、押し上げ装置用駆動部４２の駆動モータ４２ａを駆動し、リフト部材４２ｃを回動させる。このことにより、リフト部材４２ｃに当設する下端部４３ｂが上方に持ち上げられて押し上げ部材４３が上昇する。すると、押し上げ部材４３の押し上げ部４３ａが鏡蓋１の内側板部材１ｂ，１ｃを下方から押し上げる。この押し上げの力が内側板部材１ｂ，１ｃに加えられることにより、内側板部材１ｂ，１ｃが上方に回動し、弾性部材６ａ，６ｂの弾性力により鏡蓋１が観音開きする（図１０（Ｂ）参照）。
【００５７】
次に、鏡蓋１を開くために、リモコン７０のボタン７３ｂを押下する。すると、リモコン７０から放出装置５０の第１放出部５２を駆動させる旨の信号Ｄ２が放出装置用制御装置５１の送受信部５１ｂに送信される。信号Ｄ２を受信した放出装置用制御装置５１は、信号Ｄ２に基づいて、第１放出部５２の駆動モータ５２４を駆動させ、ピックアップローラ５２３を回転させる。このことにより、ピックアップローラ５２３に当設する紙片Ｐがピックアップローラ５２３の表面における摩擦力により引っかけ上げられて、順次に上方へ放出され、紙片Ｐが宙を舞う（図１０（Ｃ）参照）。なお、ピックアップローラ５２３の回転数は、毎分４０００〜５０００回転程度であり、毎分４５００回転程度が好ましい。
【００５８】
また、上記のように、操作者がボタン７３ａを押下した後に、ボタン７３ｂとともにボタン７３ｃを押下してもよい。こうすることにより、第１放出部５２の動作と同様に、第２放出部５３が駆動され、上方に順次紙片Ｐを同時に放出させることができる。すなわち、第１放出部５２および第２放出部５３を同時に駆動させることができるため、たとえば、異なる種類の紙を第１放出部５２と第２放出部５３とから同時に放出することが可能になる。たとえば、このとき放出させる紙片Ｐは、お金を模した紙片や紅白の紙片などであると、より見栄えが豪華である。
【００５９】
以上より、鏡蓋を開放して、樽枠部材の開口部から複数の紙片を放出することにより、放出された複数の紙片が宙に舞い、通常の鏡開きとは異なる演出を実現することができる。従って、この鏡開き装置が用いられる行事に参加している人たちを、視覚的に強く魅了させ得る鏡開きを実現させることができる。
【００６０】
なお、上記の実施形態において、鏡蓋１における弾性部材６ａ，６ｂは、上記で説明したものに限られるものではない。たとえば、図１１および図１２に示されるような弾性部材でもよい。以下の説明においては、上記の実施形態で説明した点と同一の点については説明および図示を省略し、異なる点についてのみ説明する。
【００６１】
例えば、図１１に示す鏡蓋１０は、弾性部材１１ａ、１２ａ、１３ａ、１４ａを有する。弾性部材１１ａ，１２ａは、外側板部材１ａの上面に設けられる固定部材１１ｂ，１２ｂと内側板部材１ｂの上面に設けられる固定部材１１ｃ，１２ｃとの各々を連結するように、鏡蓋１０の平面方向において、所定の弾性力（張力）を有する状態で設けられている。同様に、弾性部材１３ａ，１４ａは、外側板部材１ｄの上面に設けられる固定部材１３ｃ，１４ｃと内側板部材１ｃの上面に設けられる固定部材１３ｂ，１４ｂとの各々を連結するように、鏡蓋１０の平面方向において、所定の弾性力（張力）を有する状態で設けられている。このようにして、上記した実施形態と同様、弾性部材１１ａ、１２ａ、１３ａ、１４ａを平面方向において所定の弾性力を有する状態で設けることにより、内側板部材１ｂ，１ｃを観音開きさせることができる。
【００６２】
また、図１２に示すように、鏡蓋２０は、弾性部材２１ａ、２２ａ、２３ａ、２４ａを有する。弾性部材２１ａ，２２ａは、外側板部材１ａの側面に設けられた固定部材２１ｂ，２２ｂと内側板部材１ｂの側面に設けられた固定部材２１ｃ，２２ｃとの各々を連結するように、鏡蓋２０の平面方向において、所定の弾性力を有する状態で設けられている。同様に、弾性部材２３ａ，２４ａは、外側板部材１ｄの側面に設けられた固定部材２３ｂ，２４ｂと内側板部材１ｂの側面に設けられた固定部材２３ｃ，２４ｃとの各々を連結するように、鏡蓋２０の平面方向において、所定の弾性力を有する状態で設けられている。この鏡蓋２０の場合も同様の効果を奏する。
【００６３】
また、鏡蓋１の内側板部材１ｂ，１ｃに押し上げ装置５０を用いて外力を与えて、鏡蓋１を開くようにする場合について説明したが、これに限ることなく、たとえば、図１３に示すように、所定の長さを有し、一方端を木槌８０に結び付け、他方端を内側板部材１ｂと内側板部材１ｃとの間を通過させ、先端部が二股に分岐されて各々が内側板部材１ｂのストッパ部材５ａと内側板部材１ｃのストッパ部材５ｂとに連結される、透明な紐部材８１を用いた鏡開き装置であってもよい。この場合、木槌８０を扱う操作者が、木槌８０で鏡蓋８２の所望の場所を叩いた後、木槌８０を素早く引き上げる。このとき、引き上げられた木槌８０は、ストッパ部材５ａ，５ｂとの距離が、紐部材８１の有する長さより遠くなるように引き離されるようにする。こうすることにより、紐部材８１が連結されたストッパ部５ａ，５ｂが引っ張り上げられる。すなわち、内側板部材１ｂ，１ｃには、下方側から上方側への力が加えられるため、鏡蓋１を人（操作者）のきっかけにより開くことができる。
【００６４】
また、鏡開き装置における押し上げ装置４０および放出装置５０の動作は、操作者によりリモコン７０から行われる場合について説明したが、これに限ることなく、押し上げ装置４０および放出装置５０の動作は、リモコンタイマなどにより、時間的に制御されるようにしてもよい。こうすることにより、たとえば、予めタイマで時間を設定しておけば、リモコン７０から押し上げ装置４０を駆動させる旨の信号を送信した後に放出装置５０を駆動させる旨の信号を自動で送信することができる。
【００６５】
また、樽枠部材３１の内部に設けられた押し上げ装置４０および放出装置５０は、樽枠部材３１の底面上に載置される場合について説明したが、これに限ることなく、樽枠部材３１の内部に底上げするための中板を設け、その上に、押し上げ装置４０および放出装置５０を載置するようにしてもよい。こうすることにより、放出装置５０の放出する位置が高くなるため、放出された紙片はより高く舞い上がる。
【００６６】
また、内側板部材１ｂ，１ｃは、押し上げ部材４３といった形状を有する部材により、押し上げられる場合について説明したが、これに限ることなく、風圧により押し上げられるようにしてもよい。
【００６７】
また、鏡蓋１を４枚で構成するものとしたが、５枚以上で構成するものとしてもよい。
【００６８】
また、内側板部材１ｂ、１ｃは、上方に外力が加えられることにより鏡蓋１の上側で回転するものとしたが、下方に外力が加えられることにより鏡蓋１の下側で回転するものでとしてもよい。
【００６９】
また、蝶番は、外側部材１ａおよび内側部材各１ｂ、また、外側部材１ｄおよび内側部材各１ｃを連結するのに３つずつ設けられる場合について説明したが、これに限ることなく、１つずつ、２つずつ、または、４つずつ以上でもよい。
【００７０】
また、押し上げ装置４０における押し上げ部材４３は、１本である場合について説明したが、これに限ることなく、複数本でもよい。なお、この場合、内側板部材１ｂ，１ｃの両者を同時に押し上げるように構成する。
【００７１】
また、押し上げ装置４０の送受信部４１ｂおよび放出装置５０の送受信部５ｂは、リモコン７０と無線で信号を送受信する場合について説明したが、これに限ることなく、有線で信号の送受信を行ってもよい。
【００７２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００７３】
１，１０，２０，８２  鏡蓋、１ａ〜１ｄ  板部材、２ａ〜２ｆ  蝶番、３ａ〜３ｄ  固定部材、４ａ〜４ｄ  引きばね部材、５ａ,５ｂ  ストッパ部材、６ａ，６ｂ，１１ａ〜１１ｄ，２１ａ〜２１ｄ  弾性部材、７ａ，７ｂ  端面、３１  樽枠部材、３１ａ  側面部、４０  押し上げ装置、４３  押し上げ部材、５０  放出装置、５２  第１放出部、５３  第２放出部、７０  リモコン、８０  木槌、８１  紐部材。
【図１】
2012090745.tif 000003
【図２】
2012090745.tif 000004
【図３】
2012090745.tif 000005
【図４】
2012090745.tif 000006
【図５】
2012090745.tif 000007
【図６】
2012090745.tif 000008
【図７】
2012090745.tif 000009
【図８】
2012090745.tif 000010
【図９】
2012090745.tif 000011
【図１０】
2012090745.tif 000012
【図１１】
2012090745.tif 000013
【図１２】
2012090745.tif 000014
【図１３】
2012090745.tif 000015